(57)【要約】【課題】本発明は、首から吊り下げて使用するネックストラップ型アンテナに関するもので、使用時の快適性を向上させることを目的とするものである。【解決手段】本発明のネックストラップ型アンテナ６は、長さ方向に柔軟性を有する吊り下げ部５の二層で挟まれた内空間２２に、吊り下げ部５の全長に亘って第一ステンレス撚線２７配し、この第一ステンレス撚線２７が露出するように吊り下げ部５に開口部２６を設けている。この開口部２６に第一ステンレス撚線２７の長さ方向に第二ステンレス撚線を挿入し、吊り下げ部５の二層に挟まれることによって第一ステンレス撚線２７と第二ステンレス撚線３０が圧接している。【選択図】図５
2014123804.tif 000002
【特許請求の範囲】
【請求項１】
長さ方向に柔軟性を有する少なくとも二層から成る帯状の吊り下げ部と、
この吊り下げ部を長さ方向で環状に繋げ、繰り返し着脱が可能である係止部と、
前記吊り下げ部の二層で挟まれた内空間に、前記吊り下げ部の全長に亘って配された第一ステンレス撚線と、
この第一ステンレス撚線が露出するように前記吊り下げ部に設けられた開口部と、
この開口部に前記第一ステンレス撚線の長さ方向に挿入され、前記吊り下げ部の二層に挟まれることによって前記第一ステンレス撚線と圧接している導電性部材と、を有し、前記第一ステンレス撚線は前記導電性部材を介して環形状にしたネックストラップ型アンテナ。
【請求項２】
前記吊り下げ部の内空間は、前記吊り下げ部の長さ方向に直交する横幅方向の両端近傍が接合されて形成されている請求項１に記載のネックストラップ型アンテナ。
【請求項３】
前記導電性部材は、弾性を有する環形状の第二ステンレス撚線であって、前記吊り下げ部の内空間に挿入される前記第二ステンレス撚線の導電性接続部の横幅は、前記吊り下げ部の内空間の横幅より広い請求項２に記載のネックストラップ型アンテナ。
【請求項４】
請求項１から請求項３のいずれか一項に記載のネックストラップ型アンテナと、このネックストラップ型アンテナに接続された送受信部と、を備えた無線送受信装置。
【請求項５】
請求項４に記載の無線送受信装置と、この無線送受信装置と交信する聴覚補助装置と、を備えた補聴システム。
【発明の詳細な説明】
【技術分野】
【０００１】
本発明は、例えば、首から吊り下げて使用するネックストラップ型アンテナと、これを備えた無線送受信装置、およびその無線送受信装置を備えた補聴システムに関するものである。
【背景技術】
【０００２】
従来のこの種、ネックストラップ型アンテナは、柔軟な布などから形成されて使用者の首に吊り下げられる吊り下げ部と、この吊り下げ部を長手方向で環状に繋げ、所定の引張り力を超えたときは係止が外れ、繰り返し着脱が可能である係止部と、前記吊り下げ部に、その全長に亘って配された銅撚線と、この銅撚線を電気的に接続するコネクタと、によって構成されている。
【０００３】
そして、前記吊り下げ部を使用者の首に吊り下げた状態において、前記銅撚線によって環状のアンテナ形状が形成されてアンテナとして機能するようになっていた（これに類似する先行文献としては下記特許文献１）。
【先行技術文献】
【特許文献】
【０００４】
【特許文献１】特開２０１０−２４６１２１号公報
【発明の概要】
【発明が解決しようとする課題】
【０００５】
上記従来例は、前記ネックストラップ型アンテナを首から吊り下げて使用しているときに、使用者の首が引っ張られるような大きな力が前記吊り下げ部に加わったときには、前記係止部および前記コネクタが外れることによって使用者の首に過度の引張り力が加わらないようにして、使用者の安全を保つことができるようになっている。
【０００６】
しかしながら、以下のような課題を有するものであった。
【０００７】
すなわち、前記コネクタと接続される前記銅撚線は、繰り返し屈曲しても破断してしまわないように、その周囲が樹脂皮膜によって覆われており、その結果として、線径が太くなるとともに、柔軟性が損なわれていた。
【０００８】
しかしながら、このネックストラップ型アンテナは使用者が首に掛けて使用するものであるので、上述のごとく、前記吊り下げ部の全長に亘って、太く、柔軟性の損なわれた銅撚線を配したアンテナ形状にすると、前記吊り下げ部を使用者の首に吊り下げたときに首の形に柔軟に沿い難く、使用時の快適性を大いに損なうものであった。
【０００９】
そこで本発明は、使用時の快適性を向上させることを目的とするものである。
【課題を解決するための手段】
【００１０】
そして、この目的を達成するために本発明は、長さ方向に柔軟性を有する少なくとも二層から成る帯状の吊り下げ部と、この吊り下げ部を長さ方向で環状に繋げ、繰り返し着脱が可能である係止部と、前記吊り下げ部の二層で挟まれた内空間に、前記吊り下げ部の全長に亘って配された第一ステンレス撚線と、この第一ステンレス撚線が露出するように前記吊り下げ部に設けられた開口部と、この開口部に前記第一ステンレス撚線の長さ方向に挿入され、前記吊り下げ部の二層に挟まれることによって前記第一ステンレス撚線と圧接している導電性部材と、を有し、前記第一ステンレス撚線は前記導電性部材を介して環形状にした構成とし、これにより所期の目的を達成するものである。
【発明の効果】
【００１１】
以上のように本発明は、長さ方向に柔軟性を有する少なくとも二層から成る帯状の吊り下げ部と、この吊り下げ部を長さ方向で環状に繋げ、繰り返し着脱が可能である係止部と、前記吊り下げ部の二層で挟まれた内空間に、前記吊り下げ部の全長に亘って配された第一ステンレス撚線と、この第一ステンレス撚線が露出するように前記吊り下げ部に設けられた開口部と、この開口部に前記第一ステンレス撚線の長さ方向に挿入され、前記吊り下げ部の二層に挟まれることによって前記第一ステンレス撚線と圧接している導電性部材と、を有し、前記第一ステンレス撚線は前記導電性部材を介して環形状にした構成としたものであるので、使用時の快適性が極めて良いものとなる。
【００１２】
すなわち、本発明においては、吊り下げ部の全長に亘って配する導電線として、屈曲耐久性に優れるステンレス撚線を用いることにより、銅撚線では屈曲耐久性を確保するために必要であった樹脂皮膜を排除することによって線形を細くすることができ、柔軟性を損なうことが極めて少なくなるようにした。
【００１３】
その結果、吊り下げ部を使用者の首に吊り下げたときに首の形に柔軟に沿い易く、使用時の快適性を大いに向上させることができるのである。
【図面の簡単な説明】
【００１４】
【図１】本発明の一実施形態に係るネックストラップ型アンテナを備えた補聴システムを示す図
【図２】同補聴システムのブロック図
【図３】本発明の一実施形態に係るネックストラップ型アンテナを備えた送受信機を示す斜視図
【図４】同ネックストラップ型アンテナの部分斜視図
【図５】（ａ）は、同ネックストラップ型アンテナの係止部について説明する斜視図、（ｂ）は、同ネックストラップ型アンテナの第一ステンレス撚線と第二ステンレス撚線の接続について説明する斜視図、（ｃ）は、同ネックストラップ型アンテナの第一ステンレス撚線と第二ステンレス撚線が接続された状態を示す斜視図
【図６】同ネックストラップ型アンテナの第一ステンレス撚線と第二ステンレス撚線の断面を模式的に示す図
【図７】同ネックストラップ型アンテナの第二ステンレス撚線の作用を説明する斜視図
【図８】同ネックストラップ型アンテナの断面を模式的に示す図
【図９】（ａ）は、本発明の他の実施形態に係るネックストラップ型アンテナの第二ステンレス撚線の構成について説明する斜視図、（ｂ）および（ｃ）は、同ネックストラップ型アンテナの第一ステンレス撚線と第二ステンレス撚線の接続について説明する断面図
【図１０】（ａ）は、本発明の他の実施形態に係るネックストラップ型アンテナの構成について説明する斜視図、（ｂ）は、同ネックストラップ型アンテナの第一ステンレス撚線と第二ステンレス撚線の接続について説明する断面図
【図１１】（ａ）は、本発明の他の実施形態に係るネックストラップ型アンテナの構成について説明する斜視図、（ｂ）は、同ネックストラップ型アンテナの第一ステンレス撚線と第二ステンレス撚線の接続について説明する断面図
【発明を実施するための形態】
【００１５】
以下、本発明の一実施形態を、添付図面を用いて詳細に説明する。
【００１６】
（実施の形態１）
図１において１は、補聴器装用者２（使用者）の耳に装着される補聴器（聴覚補助装置）で、この補聴器１は、無線送受信機３にＮＦＭＩ４（Ｎｅａｒ−Ｆｉｅｌｄ  Ｍａｇｎｅｔｉｃ  Ｉｎｄｕｃｔｉｏｎ）などの手段によって無線接続されている。
【００１７】
無線送受信機３には、環形状をした吊り下げ部５を有するネックストラップ型アンテナ６が電気的、かつ物理的に接続され、無線送受信機３は、吊り下げ部５によって補聴器装用者２の首７などに吊り下げられた状態で使用される。
【００１８】
そして、前記ネックストラップ型アンテナ６はアンテナとして機能する構成を備えており、無線送受信機３は、補聴器１に対して、音声信号や制御信号などを送受信できるようにしている。このネックストラップ型アンテナ６の構成については後述する。
【００１９】
さらに、無線送受信機３は、例えばテレビ８などの音声出力装置にブルートゥース９などの手段によって無線接続されている。
【００２０】
このようにして、補聴器１は無線送受信機３を介してテレビ８に無線接続され、例えば、テレビ８の音声を、無線送受信機３を介して補聴器１にて受信できるものとなっている。すなわち、無線送受信機３は補聴器１とテレビ８との間の音声信号や制御信号を送受信するための中継装置として機能しているのである。
【００２１】
ＮＦＭＩ４やブルートゥース９などの無線通信技術については、既によく知られているものであるので、説明の煩雑化を避けるため、ここでは説明を省略する。
【００２２】
そして、図２に示すごとく、テレビ８は、その受信部１０で受信した番組コンテンツを、表示部１１（図１参照）で、映像として表示するとともに、補聴器１に無線送受信機３を介して接続され、ブルートゥース９などの手段によって音声送受信部１２から無線送受信機３の送受信部１３に対して音声信号を送信する。この音声信号は、無線送受信機３の信号処理部１４を通して、音声信号送受信手段であるネックストラップ型アンテナ６に送られ、このネックストラップ型アンテナ６から補聴器１に対して送信される。
【００２３】
補聴器１は、音声信号受信手段である、例えばフェライトバーアンテナ１５などを備え、このフェライトバーアンテナ１５によって無線送受信機３のネックストラップ型アンテナ６から補聴器１に対して送信された音声信号を受信する。
【００２４】
受信された音声信号は、フェライトバーアンテナ１５に接続された補聴処理部１６によって補聴器装用者２の聴力レベルに応じて補聴処理が施され、この補聴処理部１６に接続された出力手段である補聴器１のレシーバー１７（図１参照）から音声として出力される。
【００２５】
また、無線送受信機３は補聴器１を遠隔操作するリモコンとしての機能を備えているものであって、例えば、無線送受信機３は、補聴器１に対する音量変更、モード切り替えなどの操作ボタン１８を、それぞれ備えており、これらの操作に応じて操作ボタン１８が押下されると、各々の操作が無線送受信機３の入力部（図示せず）によって受け付けられ、制御部（図示せず）を介して制御信号送受信手段でもある前記ネックストラップ型アンテナ６から補聴器１に対して各々の制御信号を送信する。
【００２６】
そして、補聴器１は制御信号受信部でもある前記フェライトバーアンテナ１５によって無線送受信機３のネックストラップ型アンテナ６から補聴器１に対して送信された制御信号を受信する。
【００２７】
このようにして、補聴器１はネックストラップ型アンテナ６およびフェライトバーアンテナ１５を介して無線送受信機３に無線接続され、音声信号や制御信号を送受信できるものとなっている。
【００２８】
さて、ここで無線送受信機３に備えられているネックストラップ型アンテナ６について詳細に説明する。
【００２９】
図３および図４に示すように本実施形態のネックストラップ型アンテナ６は、吊り下げ部５を有しており、この吊り下げ部５は、例えば二枚の帯状布１９において幅方向２０の両端近傍を長さ方向２１に縫い合わせて接合することによって、前記吊り下げ部５の二層に挟まれた内空間２２を形成している。なお、幅方向２０とは帯状布１９の長さ方向２１に直交する方向を示しており、これにより幅方向２０とは横幅、長さ方向２１とは縦幅を表すものとなる。
【００３０】
縫い合わせられた二枚の帯状布１９はそれぞれが長さ方向２１に柔軟性を有する材質のものであって、縫い合わされた後も長さ方向２１には柔軟性を損なわず、自在に変形させることができるようにしている。
【００３１】
この帯状布１９は、縦糸２３と横糸２４を組み合わせた織布であって、このような織布は、縦糸２３と横糸２４の組み合わせ方（すなわち、織り方）や糸の性質によって様々な布質を有することはよく知られているが、本実施形態のネックストラップ型アンテナ６に用いる織布としては、長さ方向２１に柔軟性を有するものであって、さらには、長さ方向２１に伸縮性を有するものであっても良い。これに対して、幅方向２０には、長さ方向２１に比べて伸縮性を有しないものが好ましい。
【００３２】
例えば、横糸２４を帯状布１９の長さ方向に対して直交するように配置したり、横糸２４には引張り剛性の高い材質の糸を用いて伸縮性を抑え、縦糸２３には曲げ剛性が小さく、伸縮率の大きな材質の糸を使用して柔軟性や伸縮性を確保したりするとよい。
【００３３】
また、前記吊り下げ部５の長さ方向２１の両端部には、それぞれを圧入や係合などによって組み合わせることによって、前記吊り下げ部５を環状に繋げる係止部２５を備えており、一般的に、ネックストラップ型アンテナ６を首７（図１参照）から吊り下げて使用している状態において、首７に当たらない位置に設けている。
【００３４】
この係止部２５は、吊り下げ部５の長さ方向２１に一定の荷重を超える力が作用したときには、圧入が抜けたり、係合が外れたりすることによって、環状に繋がっている吊り下げ部５を帯状に戻すようにしている。そして、吊り下げ部５を再び環状に繋げたいときには、この係止部２５を再度、圧入や係合などによって組み合わせることによって、繰り返し、環状に繋げることができる。
【００３５】
また、図５に示すように吊り下げ部５の長さ方向２１の両端部近傍、すなわち前記係止部２５近傍において、帯状布１９には開口部２６が設けられている。
【００３６】
この開口部２６は、帯状布１９が縫い合わされてできた前記吊り下げ部５の内空間２２を外空間につなげるように開口しており、その開口部２６の幅は、帯状布１９を縫い合わせた幅と同等、またはそれよりも狭くしている。すなわち、帯状布１９が縫い合わされてできた吊り下げ部５の内空間２２の幅と同等、またはそれよりも狭くしているのである。
【００３７】
そして、吊り下げ部５の長さ方向２１の両端部近傍に設けられたそれぞれの開口部２６近傍から無線送受信機３内のＮＦＭＩ回路３ａ（図２参照）に至るまでステンレス製の撚線が吊り下げ部５の全長に亘って、吊り下げ部５の内空間２２に配され、このステンレス撚線（第一ステンレス撚線）の一部は前記開口部２６から露出させている。
【００３８】
本実施形態では、吊り下げ部５の長さ方向２１に、並行して二本の第一ステンレス撚線を、吊り下げ部５の幅方向２０の中央付近に配している。
【００３９】
この第一ステンレス撚線２７は、吊り下げ部５の長さ方向２１の柔軟性を損なわないように十分に細く、かつ、吊り下げ部５に繰り返し作用する荷重に対して屈曲耐久性を有するものであって、例えば、図６に示すように直径０．０３ｍｍである七本の細線２８を撚り合わせて束ねた束線２９を、さらに七本撚り合わせて総直径が０．２７ｍｍになるように形成したものである。
【００４０】
次に、図５に示す３０は、環形状をした第二ステンレス撚線（導電性部材）であって、この第二ステンレス撚線３０の長さ方向の中央付近にはカバー３１が取り付けられている。このカバー３１の長さ方向の両端からは第二ステンレス撚線３０の一部が、略Ｕ字形状を成して、それぞれ所定の長さだけ突出し、導電性接続部３２を形成している。この導電性接続部３２の幅３３は吊り下げ部５の内空間２２の幅より広くしている。つまり、略Ｕ字形状をした導電性接続部３２のＵ字立ち上がり間の幅３３（横幅）は吊り下げ部５の内空間２２の幅より広くしているのである。
【００４１】
そして、前記係止部２５を組み合わせ、前記吊り下げ部５を環状に繋げた状態において、吊り下げ部５に設けられた開口部２６から前記導電性接続部３２が吊り下げ部５の前記内空間２２に挿入される。
【００４２】
そして、吊り下げ部５の内空間２２において、吊り下げ部５の二層の帯状布１９に挟み込まれて第二ステンレス撚線３０の導電性接続部３２と前記第一ステンレス撚線２７とが圧接されている。
【００４３】
その結果、ネックストラップ型アンテナ６の吊り下げ部５は、第一ステンレス撚線２７および第二ステンレス撚線３０によって電気的に接続された環状の導電体を形成し、アンテナとして機能するようにしている。
【００４４】
ここで、前記カバー３１は、例えば、吊り下げ部５を形成している帯状布１９に用いられている織布などによって作製されており、上述したように係止部２５を組み合わせ、前記吊り下げ部５を環状に繋げた状態において、吊り下げ部５に設けられた開口部２６から吊り下げ部５の内空間２２に第二ステンレス撚線３０を挿入したときに、前記係止部２５の上面を覆うようにしている。これにより、ネックストラップ型アンテナ６を首７（図１参照）から吊り下げて使用しているときに係止部２５が露出しないように隠すことができ、美観を損ねることがない。
【００４５】
そして、前記第二ステンレス撚線３０の前記導電性接続部３２は、図７に示すように吊り下げ部５の内空間２２に挿入された状態において、吊り下げ部５の内空間２２を幅方向２０に押し広げる力を生じさせる弾性を有するものであって、例えば、図６に示すように直径０．０９ｍｍである七本の細線２８を撚り合わせて束ねた束線２９を、さらに七本撚り合わせて総直径が０．８１ｍｍになるように形成したものである。
【００４６】
これにより、図８に示すように前記第二ステンレス撚線３０の前記導電性接続部３２を前記吊り下げ部５の開口部２６から吊り下げ部５の内空間２２に挿入したときに、第二ステンレス撚線３０の弾性によって、吊り下げ部５の内空間２２が幅方向２０に押し広げられ、吊り下げ部５の厚み方向３４において吊り下げ部５の内空間２２を狭くする方向の力が生じる。
【００４７】
このとき、吊り下げ部５の幅方向２０は長さ方向２１に比べて伸縮性を有しないものとすることによって、第二ステンレス撚線３０によって吊り下げ部５の内空間２２を幅方向２０に効果的に押し広げ、吊り下げ部５の厚み方向３４において吊り下げ部５の内空間２２を狭くする方向の力を効果的に生じさせることができる。
【００４８】
その結果、吊り下げ部５の内空間２２において前記第一ステンレス撚線２７と前記第二ステンレス撚線３０が、吊り下げ部５の二層の帯状布１９に挟み込まれ、圧接されることによって、安定した電気的接続を確保することができるのである。
【００４９】
また、一般にステンレスは酸化などにより絶縁性の薄い層を表面に形成されることが知られており、この絶縁層は電気的接続において接触抵抗の増大を引き起こす原因となることがある。
【００５０】
本実施形態では、図８に示すように前記吊り下げ部５の内空間２２において、前記第一ステンレス撚線２７と前記第二ステンレス撚線３０が挟み込まれ、圧接された状態で、互いに擦り合わせられながら、第二ステンレス撚線３０の導電性接続部３２を吊り下げ部５の開口部２６から吊り下げ部５の内空間２２に挿入させている。
【００５１】
その結果、第一ステンレス撚線２７と第二ステンレス撚線３０の表面に薄い絶縁層が形成されていたとしても、上述した導電性接続部３２の挿入時の摩擦によって、その絶縁層を破壊し、第一ステンレス撚線２７と第二ステンレス撚線３０の間で、安定した電気的接続を確保することを可能にしている。
【００５２】
さらに、第一ステンレス撚線２７および第二ステンレス撚線３０は上述したように複数本の細い線径の細線を撚り合わせて束ねた束線を、さらに複数本撚り合わせて形成したものであるので、図６に示すように、それぞれの撚線の断面における表面は、撚り合わせられた細い線材の直径をした複数の凸部３５が存在する状態となっている。
【００５３】
そして、これらの複数の凸部３５によって第一ステンレス撚線２７および第二ステンレス撚線３０が多点で接触できるようにしており、第一ステンレス撚線２７と第二ステンレス撚線３０の間で、さらに安定した電気的接続を確保することを可能にしている。
【００５４】
以上のように本実施形態においては、吊り下げ部５の全長に亘って配する導電線として、屈曲耐久性に優れるステンレス撚線を用いて、銅撚線では屈曲耐久性を確保するために必要であった樹脂皮膜を排除することによって線形を細くすることができ、柔軟性を損なうことが極めて少なくなるようにした。
【００５５】
その結果、吊り下げ部５を使用者の首７に吊り下げたときに首の形に柔軟に沿い易く、使用時の快適性を大いに向上させることができるのである。
【００５６】
また、使用者がネックストラップ型アンテナ６を首から吊り下げて使用しているときに、使用者の首７が引っ張られるような大きな力が吊り下げ部５に加わったときには、前記係止部２５の圧入が抜けたり、係合が外れたりするとともに、前記第二ステンレス撚線３０の導電性接続部３２が吊り下げ部５の開口部２６から抜けることによって使用者の首７に過度の引張り力が加わらないようにして、使用者の安全を保つことができるようになっている。
【００５７】
上記実施形態１では、本発明の好適な一実施の形態を挙げて説明したが、本発明はこれに限定されるものではなく、以下に示すような形態においても上記実施形態１と同様の効果を実現することができる。
【００５８】
例えば、図９に示すように、第二ステンレス撚線３０を二重の構成としても良い。
【００５９】
すなわち、図９（ｂ）に示すように吊り下げ部５に設けられた開口部２６（図５参照）から吊り下げ部５の内空間２２に第二ステンレス撚線３０を挿入した状態において、吊り下げ部５の厚み方向３４に、第一ステンレス撚線２７に近い方から外側撚線３０ａ、内側撚線３０ｂを重ねた構成としている。
【００６０】
ここで、外側撚線３０ａはカバー３１から出る位置において外側にあるので「外側撚線」と呼び、内側撚線３０ｂはカバー３１から出る位置において内側にあるので「内側撚線」と呼んでいる。
【００６１】
ここで、図９（ｂ）はネックストラップ型アンテナ６の吊り下げ部５の開口部２６に外側撚線３０ａおよび内側撚線３０ｂの略Ｕ字形状の突出部が吊り下げ部５の内空間２２に挿入された状態において、吊り下げ部５の幅方向の断面（すなわち、図９（ａ）の点線Ａの位置における断面）を模式的に表した図である。
【００６２】
第二ステンレス撚線３０の長さ方向の中央付近には、上記実施形態１と同様にカバー３１が取り付けられている。このカバー３１の長さ方向の両端からは外側撚線３０ａおよび内側撚線３０ｂの一部が、略Ｕ字形状を成して、それぞれ所定の長さだけ突出し、外側撚線３０ａにおいては導電性接続部３２を形成している。この外側撚線３０ａおよび内側撚線３０ｂの略Ｕ字形状のそれぞれの幅３３は吊り下げ部５の内空間２２の幅より広くしている。つまり、略Ｕ字形状のＵ字立ち上がり間の幅３３（横幅）は吊り下げ部５の内空間２２の幅より広くしているのである。
【００６３】
さらに、外側撚線３０ａがカバー３１から突出している長さは内側撚線３０ｂがカバー３１から突出している長さより短く、外側撚線３０ａがカバー３１から突出している先端付近の導電性接続部３２の近傍（すなわち、図９（ａ）の点線Ａの位置）において内側撚線３０ｂと吊り下げ部５の厚み方向３４で交差するようにしている。
【００６４】
そして、係止部２５を組み合わせ、吊り下げ部５を環状に繋げた状態において、吊り下げ部５に設けられた開口部２６から外側撚線３０ａおよび内側撚線３０ｂの略Ｕ字形状の突出部が吊り下げ部５の内空間２２に挿入される。
【００６５】
このようにすることによって、外側撚線３０ａおよび内側撚線３０ｂの弾性によって、吊り下げ部５の内空間２２が幅方向２０に押し広げられ、吊り下げ部５の厚み方向３４において吊り下げ部５の内空間２２を狭くする方向の力が生じる。
【００６６】
すなわち、図９（ｃ）に示すＤの位置において外側撚線３０ａの弾性によって吊り下げ部５の内空間は幅方向に押し広げられ、図９（ｃ）に示すＥの位置において内側撚線３０ｂの弾性によって吊り下げ部５の内空間は幅方向に押し広げられる。そして、図９（ｃ）に示すＦの位置において、外側撚線３０ａを内側撚線３０ｂと第一ステンレス撚線２７の弾性力によって挟み込んでいる。
【００６７】
ここで、図９（ｃ）はネックストラップ型アンテナ６の吊り下げ部５の開口部２６に外側撚線３０ａおよび内側撚線３０ｂの略Ｕ字形状の突出部が吊り下げ部５の内空間２２に挿入された状態において、吊り下げ部５の長さ方向の断面（すなわち、図９（ａ）の点線Ｂの位置における断面）を模式的に表した図である。そして、図９（ｃ）のＤは外側撚線３０ａの導電性接続部３２よりも吊り下げ部５の開口部２６に近い位置であり、これに対して図９（ｃ）のＥは外側撚線３０ａの導電性接続部３２よりも吊り下げ部５の開口部２６に遠い位置である。
【００６８】
その結果、吊り下げ部５の内空間２２において第一ステンレス撚線２７と外側撚線３０ａの導電性接続部３２が、圧接されることによって、第一ステンレス撚線２７と外側撚線３０ａにおいて、さらに安定した電気的接続を確保することができるのである。
【００６９】
また、図１０に示すように、吊り下げ部５の二層の帯状布１９の内空間２２において第一ステンレス撚線２７と接する面の、吊り下げ部５の開口部２６近傍に導電布３６を配する構成としても良い。
【００７０】
この構成によれば、上述した実施形態１と同様に吊り下げ部５の厚み方向３４において吊り下げ部５の内空間２２を狭くする方向の力が生じ、吊り下げ部５の内空間２２において第一ステンレス撚線２７と第二ステンレス撚線３０が、吊り下げ部５の二層の帯状布１９に挟み込まれた状態において、第一ステンレス撚線２７と第二ステンレス撚線３０が、それぞれ前記導電布３６に接触した状態で圧接される。
【００７１】
その結果、第一ステンレス撚線２７と第二ステンレス撚線３０とが、導電布３６と接している範囲に亘って、電気的に接続されるので、さらに安定した電気的接続を確保することができるのである。
【００７２】
また、前記吊り下げ部５の二枚の帯状布１９に挟まれることによって前記第一ステンレス撚線２７と前記第二ステンレス撚線３０の導電性接続部３２とが圧接しているとして説明したが、これに限定されるものではない。例えば、導電性の繊維から成る導電布と弾性材を組み合わせるなどして、弾性材によって吊り下げ部５を幅方向２０に押し広げる力を生じさせ、かつ導電布によって第一ステンレス撚線２７と電気的に接続できるようにしてもよい。
【００７３】
また、二枚の帯状布１９によって形成した前記吊り下げ部５の二つの層の少なくとも一方は幅方向２０に伸縮性を有するものとしても良い。
【００７４】
この構成によれば、伸縮性を有する一方の層を、他方の層に対して、その伸縮性を利用して、吊り下げ部５の厚み方向３４において付勢させることによって、上記実施形態１における第二ステンレス撚線３０の導電性接続部３２の作用と同様に、吊り下げ部５の内空間２２に物体を挿入したときに、この物体を吊り下げ部５の厚み方向３４において挟み込む力を生じることができる。
【００７５】
すなわち、第二ステンレス撚線３０の導電性接続部３２の弾性によって吊り下げ部５を幅方向２０に押し広げることなしに、吊り下げ部５の内空間２２に物体を挿入したときに、この物体を吊り下げ部５の厚み方向３４において挟み込む力を生じることができるのである。
【００７６】
また、図１１に示すように、導電布３６が第一ステンレス撚線２７と第二ステンレス撚線３０の間に入るように配しても良い。そうすることにより、第一ステンレス撚線２７が開口部２６から外側へ出てくることを避けられるという効果を得ることができる。
【００７７】
尚、導電布３６を第一ステンレス撚線２７と第二ステンレス撚線３０の間に入るように配した図１１に示す構造においても、上述した実施形態１と同様に吊り下げ部５の厚み方向３４において吊り下げ部５の内空間２２を狭くする方向の力が生じ、吊り下げ部５の内空間２２において第一ステンレス撚線２７と第二ステンレス撚線３０が、吊り下げ部５の二層の帯状布１９に挟み込まれた状態において、第一ステンレス撚線２７と第二ステンレス撚線３０が、それぞれ前記導電布３６に接触した状態で圧接される。
【００７８】
また、吊り下げ部５を形成する帯状布１９として織布を用いて説明したが、これに限定されるものではない。例えば、樹脂製フィルムやゴムなどから形成されたものあっても良く、長さ方向２１に柔軟性を有し、幅方向２０に伸縮性を有しない構造であれば、上記実施形態１と同様の効果を得ることができる。
【００７９】
また、吊り下げ部５は、二枚の帯状布１９において幅方向２０の両端部を長さ方向２１に縫い合わせることによって二層を形成しているとして説明したが、これに限定されるものではない。例えば、接着や溶着などによって、幅方向２０の両端部を長さ方向２１に接合させて二層を形成しても良い。
【００８０】
さらに、第二ステンレス撚線３０を、吊り下げ部５の両端部に向けた開口部２６に挿入して、第一ステンレス撚線２７と第二ステンレス撚線３０とを電気的接続させる構成として説明したが、吊り下げ部５の一方の端部において第一ステンレス撚線２７と第二ステンレス撚線３０が予め圧着、溶接などによって電気的かつ物理的に接続され、他方の端部に設けられた開口部２６のみに第二ステンレス撚線３０を挿入する構成としてもよい。
【００８１】
この構成によれば、使用者の首７が引っ張られるような大きな力が吊り下げ部５に加わったとき、前記係止部２５が外れ、第二ステンレス撚線３０の導電性接続部３２が吊り下げ部５の開口部２６から抜けた場合においても、第二ステンレス撚線３０の一部は第一ステンレス撚線２７に物理的に接続されており、第二ステンレス撚線３０が吊り下げ部５から完全に脱落しないので、第二ステンレス撚線３０の紛失を防止することができる。
【００８２】
また、吊り下げ部５の二枚の帯状布１９による圧接を用いて第一ステンレス撚線２７と第二ステンレス撚線３０の導電性接続部３２との電気的接続を可能としている部分を減らすことができるので、より安定した電気的接続を確保できる。
【産業上の利用可能性】
【００８３】
以上のように本発明のネックストラップ型アンテナと、これを備えた無線送受信装置、およびその無線送受信装置を備えた補聴システムにおいては、吊り下げ部の全長に亘って配する導電線として、屈曲耐久性に優れるステンレス撚線を用いて、銅撚線では屈曲耐久性を確保するために必要であった樹脂皮膜を排除することによって線形を細くすることができ、柔軟性を損なうことが極めて少なくなるようにした。
【００８４】
その結果、吊り下げ部を使用者の首に吊り下げたときに首の形に柔軟に沿い易く、使用時の快適性を大いに向上させることができる。
【００８５】
したがって、例えば、補聴器などの聴覚補助装置においてネックストラップ型アンテナと、これを備えた無線送受信装置、およびその無線送受信装置を備えた補聴システムとしての活用が大いに期待されるものとなる。
【符号の説明】
【００８６】
１  補聴器（聴覚補助装置）
２  補聴器装用者（使用者）
３  無線送受信機
４  ＮＦＭＩ
５  吊り下げ部
６  ネックストラップ型アンテナ
７  首
８  テレビ
９  ブルートゥース
１０  受信部
１１  表示部
１２  音声送受信部
１３  送受信部
１４  信号処理部
１５  フェライトバーアンテナ
１６  補聴処理部
１７  レシーバー
１８  操作ボタン
１９  帯状布
２０  幅方向
２１  長さ方向
２２  内空間
２３  縦糸
２４  横糸
２５  係止部
２６  開口部
２７  第一ステンレス撚線
２８  細線
２９  束線
３０  第二ステンレス撚線
３０ａ  外側撚線
３０ｂ  内側撚線
３１  カバー
３２  導電性接続部
３３  幅
３４  厚み方向
３５  凸部
３６  導電布
【図１】
2014123804.tif 000003
【図２】
2014123804.tif 000004
【図３】
2014123804.tif 000005
【図４】
2014123804.tif 000006
【図５】
2014123804.tif 000007
【図６】
2014123804.tif 000008
【図７】
2014123804.tif 000009
【図８】
2014123804.tif 000010
【図９】
2014123804.tif 000011
【図１０】
2014123804.tif 000012
【図１１】
2014123804.tif 000013